【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
光源と、光均一化手段と、リレーレンズと、プリズムと、画像表示素子と、投写レンズとを備える投写型表示装置において、前記プリズムは第１の側面と第２の側面と第３の側面を有する三角柱形状の１つのプリズムで構成され、前記リレーレンズは前記第１の側面と対向配置し、前記画像表示素子は前記第２の側面と対向配置し、前記投写レンズは前記第３の側面と対向配置し、前記光源から出射された光束は前記光均一化手段及び前記リレーレンズを通過して前記第１の側面から前記プリズムの内部に入射し、前記第２の側面から前記プリズムの外部に出射して前記画像表示素子を照明し、前記画像表示素子で反射された光束は前記第２の側面から前記プリズム内部に入射し、前記第１の側面で全反射され、前記第３の側面から前記プリズムの外部に出射して前記投写レンズに入射される光束を少なくとも含むことを特徴とする投写型表示装置。
【請求項２】
前記リレーレンズは平凸レンズであって円周の少なくとも一部をカットしたカット面を有することを特徴とする請求項１に記載の投写型表示装置。
【請求項３】
光源から出射された光束を画像表示素子を照明するための光束とするリレーレンズと、前記リレーレンズから出射される光束を前記画像表示素子に導くとともに前記画像表示素子で反射された光束を投写レンズに向けて全反射するプリズムとを備える投写型表示装置において、前記プリズムは前記リレーレンズと前記画像表示素子との間の光路中に唯１つのみ配設され、前記リレーレンズは平凸レンズであって円周の少なくとも一部をカットしたカット面を有し、かつその平坦面が前記プリズムの全反射面に対し略平行に配置されていることを特徴とする投写型表示装置。
【請求項４】
前記プリズムは第１の側面と第２の側面と第３の側面を有した三角柱形状を有し、前記第１の側面で前記全反射面を形成し、前記第２の側面を前記画像表示素子に対向配置し、前記第３の側面を前記投写レンズに対向配置していることを特徴とする請求項３に記載の投写型表示装置。
【請求項５】
前記カット面は少なくとも２つ設けられ、各カット面は前記プリズムの全反射面の少なくとも２つの辺に沿って設けられることを特徴とする請求項２，３又は４に記載の投写型表示装置。
【請求項６】
前記プリズムの第２側面と第３の側面とが直角をなすことを特徴とする請求項１，２，又は４に記載の投写型表示装置。
【請求項７】
前記投写レンズが前記第３の側面と略平行であることを特徴とする請求項６に記載の投写型表示装置。
【請求項８】
前記表示装置が前記第２の側面と略平行であることを特徴とする請求項６又は７に記載の投写型表示装置。
【請求項９】
前記リレーレンズとプリズムとの間には微小間隔の空気層が介在されていることを特徴とする請求項１ないし８のいずれかに記載の投写型表示装置。
【請求項１０】
前記リレーレンズは前記プリズムに一体化されていることを特徴とする請求項１ないし９のいずれかに記載の投射型表示装置。
【請求項１１】
前記リレーレンズは前記プリズムに接着剤により接着されていることを特徴とする請求項１０に記載の投射型表示装置。
【請求項１２】
前記接着剤はガラスビーズ入りの接着剤であることを特徴とする請求項１１に記載の投写型表示装置。
【請求項１３】
前記リレーレンズとプリズムとを連結するための補強板を配設していることを特徴とする請求項１０ないし１２のいずれかに記載の投写型表示装置。
【請求項１４】
前記補強板は前記リレーレンズのカット面と前記プリズムの側面とに貼り付けられていることを特徴とする請求項１３に記載の投写型表示装置。
【請求項１５】
前記リレーレンズは、コバ又はスナズリ面に黒塗り加工を施してあることを特徴とする請求項１ないし１４のいずれかに記載の投写型表示装置。
【手続補正２】
【補正対象書類名】明細書
【補正対象項目名】０００６
【補正方法】変更
【補正の内容】
【０００６】
本発明の第１の発明は、光源と、光均一化手段と、リレーレンズと、プリズムと、画像表示素子と、投写レンズとを備える投写型表示装置において、プリズムは第１の側面と第２の側面と第３の側面を有する三角柱形状の１つのプリズムで構成され、リレーレンズは第１の側面と対向配置し、画像表示素子は第２の側面と対向配置し、投写レンズは第３の側面と対向配置し、光源から出射された光束は光均一化手段及びリレーレンズを通過して第１の側面からプリズムの内部に入射し、第２の側面からプリズムの外部に出射して画像表示素子を照明し、画像表示素子で反射された光束は第２の側面からプリズム内部に入射した後第１の側面で全反射され、第３の側面からプリズムの外部に出射して投写レンズに入射される光束を少なくとも含むことを特徴とする。
また、本発明の第２の発明は、光源から出射された光束を画像表示素子を照明するための光束とするリレーレンズと、リレーレンズから出射される光束を画像表示素子に導くとともに画像表示素子で反射された光束を投写レンズに向けて全反射するプリズムとを備える投写型表示装置において、プリズムはリレーレンズと画像表示素子との間の光路中に唯１つのみ配設され、リレーレンズは平凸レンズであって円周の少なくとも一部をカットしたカット面を有し、かつその平坦面がプリズムの全反射面に対し略平行に配置されていることを特徴とする。
【手続補正３】
【補正対象書類名】明細書
【補正対象項目名】０００７
【補正方法】変更
【補正の内容】
【０００７】
本発明の第１の発明によれば、第１ないし第３の側面を有する三角柱形状をした１つのプリズムを用いるのみで、第１ないし第３の各側面にそれぞれリレーレンズ、撮像表示素子、投写レンズを対向配置することによって、光源から出射されてくる光束を画像表示素子に照射し、かつ画像表示素子からの反射光を投写レンズにまで導くことができるので、従来のように複数のレンズで全反射プリズムを構成したものに比較して光学系、特にプリズムの体積及びスペースを低減でき、投写型表示装置の小型化を実現することができ、さらにコストを下げることも可能になる。また、プリズムは、第１の側面からプリズム内に入射した光束は第２の側面から画像表示素子に向けて出射され、画像表示素子で反射されて第２の側面から再びプリズム内に入射した光束は第１の側面の内面で全反射された後第３の側面から投写レンズに向けて出射されるので、プリズムに入射する光束とプリズムから出射する光束が違う方向となり、入射する光束と出射する光束の干渉が生じることはない。
また、本発明の第２の発明によれば、１つのプリズムに１つの平凸レンズからなるリレーレンズを平坦面がプリズムの全反射面に対して略平行に配置することによって、光源から出射されてくる光束を画像表示素子に照射し、かつ画像表示素子からの反射光を投写レンズにまで導くことができるので、従来のようにリレーレンズと全反射プリズムを別体に構成したものに比較して光学系の体積及びスペースを低減でき、投写型表示装置の小型化を実現することができ、さらにコストを下げることも可能になる。また、プリズムへ入射する光束とプリズムから出射する光束が違う方向であるため、入射する光束と出射する光束の干渉が生じることはない。ここで、プリズムは第１の側面と第２の側面と第３の側面を有した三角柱形状を有し、前記第１の側面で前記全反射面を形成し、前記第２の側面を前記画像表示素子に対向配置し、前記第３の側面を前記投写レンズに対向配置した構成とすることが好ましい。
【手続補正４】
【補正対象書類名】明細書
【補正対象項目名】０００８
【補正方法】変更
【補正の内容】
【０００８】
本発明の第１及び第２の発明においてリレーレンズの円周一部をカットしたカット面を設けることで、当該カット面をプリズムの全反射面の辺に対応させ、リレーレンズをプリズムに対して固定する際の位置決めや確実な固定を行う際に利用できる。リレーレンズのカット面は少なくとも２つ設けられ、プリズムの全反射面の少なくとも２つの辺に沿うように構成する。ここで、第２の側面と第３の側面とが直角をなすようにする。また、リレーレンズとプリズムとの間に微小間隔の空気層が介在されるようにする。さらに、リレーレンズはプリズムに一体化されることが好ましい。例えば、リレーレンズはプリズムに接着剤により接着される。この場合、接着剤としてガラスビーズ入りの接着剤を用いることができる。また、リレーレンズとプリズムとを連結するための補強板を配設することが好ましい。この補強板はリレーレンズのカット面とプリズムの側面に接着する構成とする。また、リレーレンズは、コバ又はスナズリ面に黒塗り加工を施すことが好ましい。